(57)【要約】【課題】メンテナンスフリーで、安価で設置が容易な集塵方式を提供することを目的とする。【解決手段】除塵排気塔において、発塵源のある建家の屋根に形成される自然換気の排気口に設置され、１個若しくは複数個の液体スプレイ噴霧装置を設置したことを特徴とし、前記除塵排気塔内にガラリを設置し、前記液体噴霧装置から噴霧される液体と排気中の粉塵をガラリ表面に衝突させて粉塵の屋外への排出を抑制したことを特徴とし、前記液体スプレイ噴霧装置から噴霧された液体と捕捉された粉塵とを回収する回収部材を配置したことを特徴とし、前記液体スプレイ噴霧装置からの液体噴霧が前記除塵排気塔の排気能力を妨げないようにしたことを特徴とする。【選択図】図２
2004148200.tif 000002
【特許請求の範囲】
【請求項１】
発塵源のある建家の屋根に形成される自然換気の排気口に設置され、１個若しくは複数個の液体スプレイ噴霧装置を設置したことを特徴とする除塵排気塔。
【請求項２】
前記除塵排気塔内にガラリを設置し、前記液体スプレイ噴霧装置から噴霧される液体と排気中の粉塵をガラリ表面に衝突させて粉塵の屋外への排出を抑制したことを特徴とする請求項１に記載の除塵排気塔。
【請求項３】
前記液体スプレイ噴霧装置から噴霧された液体と捕捉された粉塵とを回収する回収部材を配置したことを特徴とする請求項１又は２に記載の除塵排気塔。
【請求項４】
前記液体スプレイ噴霧装置からの液体噴霧が前記除塵排気塔の排気能力を妨げないようにしたことを特徴とする請求項１〜３のいずれか１項に記載の除塵排気塔。
【請求項５】
前記除塵排気塔内の液体スプレイ噴霧装置により液体噴霧された排気流の排気方向を急激に変化させる仕切り板を設置したことを特徴とする請求項１〜４のいずれか１項に記載の除塵排気塔。
【請求項６】
前記除塵排気塔内の液体スプレイ噴霧装置により液体噴霧された排気流の排気方向を急激に変化させる仕切り板状に液体噴霧する液体噴霧装置を設置したことを特徴とする請求項１〜４のいずれか１項に記載の除塵排気塔。
【請求項７】
前記除塵排気塔内の液体スプレイ噴霧装置により液体噴霧された排気流の排気方向を急激に変化させる仕切り板と、前記仕切り板の表面と平行に仕切り板状に液体噴霧する液体噴霧装置を設置したことを特徴とする請求項１〜４のいずれか１項に記載の除塵排気塔。
【請求項８】
前記除塵排気塔内に前記液体スプレイ噴霧装置の液体噴霧範囲を限定する隔壁を所定間隔毎に設置することを特徴とする請求項１〜７のいずれか１項に記載の除塵排気塔。
【発明の詳細な説明】
【０００１】
【発明の属する技術分野】
本発明は、発塵源のある建家の屋根に設置される自然換気の排気塔からの粉塵排出を抑制した除塵排気塔に関する。
【０００２】
【従来の技術】
従来、室内に発塵源が存在する場合、粉塵を含む室内の空気を強制換気手段により湿式機械集塵装置等の装置内に送り、排気流に液体を噴霧して排気流中の粉塵を湿らせ排気流から分離・回収する湿式機械集塵方式が採用されている。
【０００３】
【特許文献１】
特開平６−１８５７５８号公報
【特許文献２】
特開平７−２２７５１５号公報
【特許文献３】
特開平７−３２８３６７号公報
【０００４】
【発明が解決しようとする課題】
しかし、図６に示されるように、従来の湿式機械集塵方式は装置が大規模となり、装置の設置のための経費及び装置のメンテナンスに多額の費用を必要とする。さらに、湿式機械集塵装置内での液体の噴霧が排気流と逆方向であるので、排気流の流速が低下し、排気効率が低下するという問題が発生する。
【０００５】
本発明は、従来の湿式機械集塵方式の持つ問題点を解消した、メンテナンスフリーで、安価で設置が容易な集塵方式を提供することを目的とする。
【０００６】
【問題を解決するための手段】
本第１発明は、前記課題を解決するために、除塵排気塔において、工場等の建家の屋根に形成される自然換気の排気口に設置され、１個若しくは複数個の液体スプレイ噴霧装置を設置したことを特徴とする。
【０００７】
本第２発明は、本第１発明の除塵排気塔において、前記除塵排気塔内にガラリを設置し、前記液体スプレイ噴霧装置から噴霧される液体と排気中の粉塵をガラリ表面に衝突させて粉塵の屋外への排出を抑制したことを特徴とする。
【０００８】
本第３発明は、本第１または第２発明の除塵排気塔において、前記液体スプレイ噴霧装置から噴霧された液体と捕捉された粉塵とを回収する回収部材を配置したことを特徴とする。
【０００９】
本第４発明は、本第１〜第３発明のいずれか１つの発明の除塵排気塔において、前記液体スプレイ噴霧装置からの液体噴霧が前記除塵排気塔の排気能力を妨げないようにしたことを特徴とする。
【００１０】
本第５発明は、本第１〜第４発明のいずれか１つの発明の除塵排気塔において、前記除塵排気塔内の液体スプレイ噴霧装置により液体噴霧された排気流の排気方向を急激に変化させる仕切り板を設置したことを特徴とする。
【００１１】
本第６発明は、本第１〜第４発明のいずれか１つの発明の除塵排気塔において、前記除塵排気塔内の液体スプレイ噴霧装置により液体噴霧された排気流の排気方向を急激に変化させる仕切り板状に液体噴霧する液体噴霧装置を設置したことを特徴とする。
【００１２】
本第７発明は、本第１〜第４発明のいずれか１つの発明の除塵排気塔において、前記除塵排気塔内の液体スプレイ噴霧装置により液体噴霧された排気流の排気方向を急激に変化させる仕切り板と、前記仕切り板の表面と平行に仕切り板状に液体噴霧する液体噴霧装置を設置したことを特徴とする。
【００１３】
本第８発明は、本第１〜第７発明のいずれか１つの発明の除塵排気塔において、前記除塵排気塔内に前記液体スプレイ噴霧装置の液体噴霧範囲を限定する隔壁を所定間隔毎に設置することを特徴とする。
【００１４】
【作用】
発塵源が存在する工場等の建家の屋根に形成される自然換気の排気口に設置される排気塔に、液体スプレイ噴霧装置を設置するという従来にはなかった本発明の構成により、上昇気流に乗って建家外に排出される手前で液体スプレイ噴霧装置から噴霧される液体により粉塵が液体と結びつき質量が増加することで排気流中の粉塵が分離回収でき、従来の湿式機械集塵方式より極めて安価な費用により大きな除塵効果をもたらすことが可能となる。
除塵排気塔内の液体スプレイ噴霧装置から噴霧される液体と排気流中の粉塵とがガラリ表面に衝突することにより、湿潤化したガラリ表面に粉塵が付着し液体を吸収し、排気流から分離回収される。
液体噴射装置から噴霧された液体と液体により捕捉された粉塵とを回収する部材を配置したので、回収された粉塵を含む排水を処理工程に送り、処理した後排水するので、周囲の環境に影響を与えない。
液体スプレイ噴射装置からの液体噴霧は、自然換気の排気流の方向に逆らわない方向に噴霧されるので、建家本来の自然換気能力を妨げない。
液体噴霧された排気流の排気方向を急激に変化させる仕切り板を設置することにより、液体を含有し質量の増加した粉塵が慣性力で、液体・粉塵回収部材上に落下させ、粉塵を屋外に排出させない。
また、液体噴霧された排気流の排気方向を急激に変化させるために仕切り板状に液体噴霧する液体噴霧装置を設置することにより、排気流をより湿潤化させることができ、一層粉塵の屋外への排出が抑制される。
さらに、液体噴霧された排気流の排気方向を急激に変化させる仕切り板と、前記仕切り板の表面と平行に仕切り板状に液体噴霧する液体噴霧装置を設置することにより、排気流の風圧により前期仕切り板状に噴霧される水膜の変形が仕切り板により阻止され、排気流のより一層の湿潤化が図られる。
除塵排気塔内に前記液体スプレイ噴霧装置の液体噴霧範囲を限定する隔壁を所定間隔毎に設置することにより、除塵排気塔内を通過して屋外に排気される排気流が必ず液体噴霧を受ける状態になるので、粉塵の屋外への排出が一層抑制される。
【００１５】
【発明の実施の形態】
本発明の実施形態を図により説明する。図１は、本発明の除塵排気塔の一実施形態の一部断面図である。本発明の除塵排気塔１は、発塵源のある工場等の建家の屋根２に形成された自然換気の排気口３に設置される。除塵排気塔１は、排気口３の近傍の屋根２上に垂直側壁部５と水平部屋根部６からなる排気塔部材４が固定される。排気塔部材４の水平屋根部６の端部にガラリ７の一端部を固定し、ガラリ７の他端部を液体・粉塵回収部材８に固定する。
【００１６】
除塵排気塔１に設置されるガラリ７は、水平軸或いは垂直軸を軸として回動する複数の羽根を有し、羽根の角度を自由に設定可能なものとする。液体・粉塵回収部材８は、液体の排出方向に傾斜した板状の部材である。排気塔部材４の上部に液体スプレイ噴霧装置９を設置する。液体スプレイ噴霧装置９からは、水又は界面活性剤を含有する水をガラリ７の方向に噴霧する。排気塔部材４の垂直側壁部５、水平屋根部６とガラリ７により、除塵排気塔１の液体噴霧空間を形成する。液体の噴霧は、排気流の排気方向とほぼ同じ方向であるので、排気流の流速を低下させることがなく、建家本来の排気効率を低下させることはない。
液体噴霧空間に、所定間隔をおいて複数の液体スプレイ噴霧装置９を設置する場合は、図５に示されるように、各液体スプレイ噴霧装置９の液体噴霧範囲を限定する隔壁１０を所定間隔毎に設置する。このように構成することにより、隔壁で区画された液体噴霧空間を通過する排気流が確実に液体スプレイ噴霧装置９の液体噴霧を受けることになり、粉塵の屋外への排出が抑制される。
【００１７】
発塵源のある工場等の室内からの粉塵を含む排気流は、建家の屋根に形成した排気口３から除塵排気塔１内に室内と室外の気圧の差による自然換気により送気される。粉塵を含む排気流は、除塵排気塔１の液体噴霧空間で液体スプレイ噴霧装置９からガラリ７の方向に噴霧される液体噴霧の中をガラリ７の方向に流れる。液体噴霧により湿潤化されたガラリ表面に排気流中の粉塵の一部が付着し、更なる液体の噴霧によりガラリ表面に付着した粉塵はガラリ７の下部に落下し、液体・粉塵回収部材８から液体と一緒に回収される。ガラリ７を通過した排気流中の粉塵も液体噴霧により液体と結びつき質量が重くなるので、液体・粉塵回収部材８上に落下し回収され、粉塵の屋外への排出が抑制される。図２に示されるように、液体・粉塵回収部材８上に垂直の仕切板１１を設置する。この仕切板１１は、ガラリ７を通過した排気流の排気方向を水平から垂直に急激に変化させ、排気流中の液体を含有し質量の増加した粉塵を慣性力で液体・粉塵回収部材８上に落下させ、より一層粉塵の屋外への排出が抑制される。
また、図３に示されるように、除塵排気塔１内の液体スプレイ噴霧装置９により液体噴霧された排気流の排気方向を急激に変えるために、仕切り板状に液体噴霧する液体噴霧装置１２を設置し、前記液体噴霧装置１２から下向きに仕切り板状に液体を噴霧する。この仕切り板状の液体噴霧は、ガラリ７を通過した排気流の排気方向を水平から垂直に急激に変化させ、排気流中の粉塵をより湿潤化し、液体を含有し質量の増加した粉塵を慣性力で液体・粉塵回収部材８上に落下させ、より一層粉塵の屋外への排出が抑制される。さらに、図４に示されるように、仕切板１１と、仕切板１２と平行に仕切り板状に液体噴霧する液体噴霧装置１２を設置することにより、排気方向を急激に変化させた排気流をより湿潤化することができ、仕切板１２としての効果をより一層向上させることが可能となる。
【００１８】
【発明の効果】
発塵源が存在する工場等の建家の屋根に形成される自然換気の排気口に設置される排気塔に、液体スプレイ噴霧装置を設置するという従来にはなかった本発明の構成により、上昇気流に乗って建家外に排出される手前で液体スプレイ噴霧装置から噴霧される液体により粉塵が液体と結びつき重量が増加することで排気流中の粉塵が分離回収でき、従来の湿式機械集塵方式のより極めて安価な費用により大きな除塵効果をもたらすことが可能となる。
除塵排気塔内の液体スプレイ噴霧装置から噴霧される液体と排気流中の粉塵とがガラリ表面に衝突することにより、湿潤化したガラリ表面に粉塵が付着し液体を吸収し、排気流から分離回収される。
液体スプレイ噴射装置から噴霧された液体と液体により捕捉された粉塵とを回収する部材を配置したので、回収された粉塵を含む排水を処理工程に送り、処理した後排水するので、周囲の環境に影響を与えない。
液体スプレイ噴射装置からの液体噴霧は、自然換気の排気流の方向に逆らわない方向に噴霧されるので、建家本来の自然換気能力を妨げない。
液体噴霧された排気流の排気方向を急激に変化させる仕切り板を設置することにより、液体を含有し重量の増加した粉塵が慣性力で、液体・粉塵回収部材上に落下させ、粉塵を屋外に排出させない。
また、液体噴霧された排気流の排気方向を急激に変化させるために仕切り板状に液体噴霧する液体噴霧装置を設置することにより、排気流をより湿潤化させることができ、一層粉塵の屋外への排出が抑制される。
さらに、液体噴霧された排気流の排気方向を急激に変化させる仕切り板と、前記仕切り板の表面と平行に仕切り板状に液体噴霧する液体噴霧装置を設置することにより、急激に排気方向を変化された排気流の風圧により前期仕切り板状に噴霧される水膜の変形が仕切り板により阻止され、排気流のより一層の湿潤化され、仕切板としての効果をより一層向上することが可能となる。
除塵排気塔内に前記液体スプレイ噴霧装置の液体噴霧範囲を限定する隔壁を所定間隔毎に設置することにより、除塵排気塔内を通過して屋外に排気される排気流が必ず液体噴霧を受ける状態になるので、粉塵の屋外への排出がより抑制される。
【図面の簡単な説明】
【図１】本発明の一実施形態を示す図
【図２】本発明の一実施形態を示す図
【図３】本発明の一実施形態を示す図
【図４】本発明の一実施形態を示す図
【図５】本発明の一実施形態を示す斜視図
【図６】従来例を示す図
【符号の説明】
１：除塵排気塔
２：屋根
３：排気口
４：排気塔部材
５：垂直側壁部
６：水平屋根部
７：ガラリ
８：液体・粉塵回収部材
９：液体スプレイ噴霧装置
１０：隔壁
１１：仕切板
１２：液体噴霧装置
【図１】
2004148200.tif 000003
【図２】
2004148200.tif 000004
【図３】
2004148200.tif 000005
【図４】
2004148200.tif 000006
【図５】
2004148200.tif 000007
【図６】
2004148200.tif 000008